(57)【要約】      （修正有）【課題】使用者が便座に腰掛ける前に滑り落ちるリスクを低減させると共に、適用可能な便座の候補を拡大させる便座シートを提供する。【解決手段】便座シート２と、隣接する便座シートを一方側部において連結する便座シート連結部６と、便器奥側に配置され、複数の便座シートをロール状にし、便座手前方向に引き出せるようにしたシートロールを収納するためのものであって、便座手前側にシート引出スリットを備えるシートロール収納箱と、便器奥側一方端部、かつ、便座シート連結部が通過する位置に配置される上側切断器及び下側切断器と、を有し、下側切断器の位置まで上下方向に移動可能な上側切断器が、箱体内に収納される刃状体を備え、下側切断器が、刃状体スリットから突出する刃状体を収容可能な溝を備え、溝上に配置される便座シート連結部を、刃状体スリットから突出し、溝に入り込む刃状体によって上から押さえ付けて切断する。【選択図】図２
2019201943.tif 000002
【特許請求の範囲】
【請求項１】
洋風便器の使用者が座る便座上に敷くシートを供給する便座シート装置であって、
便座の形状に合わせて中央付近に穴部を備える便座シートと、
隣接する前記便座シートを一方側部において連結する便座シート連結部と、
前記便器の奥側、かつ、前記便座と同程度の高さに配置され、複数の前記便座シートをロール状にし、前記便座の手前方向に引き出せるようにしたシートロールを収納するためのものであって、前記便座手前側に前記便座シートを引き出すためのシート引出スリットを備えるシートロール収納箱と、
前記便器の奥側一方端部、かつ、前記便座シート連結部が通過する位置に配置される上側切断器と、
前記便器の奥側一方端部、かつ、前記便座シート連結部が通過する位置、かつ、前記上側切断器の下方に配置される下側切断器と、を有し、
前記下側切断器の位置まで上下方向に移動可能な前記上側切断器が、箱体の中に下向きに収納される刃状体を備え、前記刃状体が、前記箱体内を上下に移動可能、かつ、前記箱体下部に備えられる刃状体スリットから突出可能であり、
前記下側切断器が、前記刃状体スリットから突出する前記刃状体を収容可能な溝を備え、
前記溝上に配置される前記便座シート連結部を、前記刃状体スリットから突出し、前記溝に入り込む前記刃状体によって上から押さえ付けて切断することを特徴とする便座シート装置。
【請求項２】
前記刃状体スリットの手前側及び奥側に、前記便座シート連結部が切断時に滑らないようにするための滑り止め機構を備えることを特徴とする請求項１に記載の便座シート装置。
【請求項３】
前記シートロール収納箱が、収納される前記便座シートを使い切ったとき、前記収納される前記便座シートと共に交換可能であることを特徴とする請求項１又は２に記載の便座シート装置。
【発明の詳細な説明】
【技術分野】
【０００１】
洋風便器の便座上に便座シートを供給する装置の技術に関する。
【背景技術】
【０００２】
公衆便所に設置される洋風便器は、不特定多数の者が使用するため、不衛生に感じる人もいる。家庭内に設置される洋風便器についても思春期の子供は、不特定多数ではないにしろ、他の家族が使用した後は同様の印象を抱くのかも知れない。
【０００３】
そういった他人が使用する洋風便器の不衛生感を取り除くために、洋風便器の便座上に敷いて使用する便座シートというものが有り、使用後の便座シートは便器内に流すことができる場合もある。
【０００４】
そのような背景下、例えば、特許文献１では、ロール巻きされた便座シートが機能的にして容易に取り出せる繰り出し機構と、かつ使用後は自動的に便座シートを水に流すことができる便座用ロールシートが提案されている。
【先行技術文献】
【特許文献】
【０００５】
【特許文献１】特開２００１−２６９２９０号公報
【発明の概要】
【発明が解決しようとする課題】
【０００６】
しかしながら、上記従来技術は、便座シートに切り離し用のミシン目が予め施され、１枚ずつ便座シートを切り離して使用する形態であるため、使用者が便座に腰掛ける前に便座シートが滑り落ち、便座シートとしての用を成さなくなる場合があるという問題点がある。
【０００７】
また、上記従来技術は、便座シートに切り離し用のミシン目が予め施され、１枚ずつ便座シートを切り離して使用する形態であるため、適用可能な便座の形状が１枚の便座シートの形状に依存し、適用可能な便座の形状が制限されるという問題点がある。
【０００８】
そこで本発明では、上記問題点に鑑み、使用者が便座に腰掛ける前に便座シートが滑り落ちるリスクを低減させると共に、適用可能な便座の候補を拡大させる便座シート装置を提供することを目的とする。
【課題を解決するための手段】
【０００９】
開示する便座シート装置の一形態は、洋風便器の使用者が座る便座上に敷くシートを供給する便座シート装置であって、便座の形状に合わせて中央付近に穴部を備える便座シートと、隣接する前記便座シートを一方側部において連結する便座シート連結部と、前記便器の奥側、かつ、前記便座と同程度の高さに配置され、複数の前記便座シートをロール状にし、前記便座の手前方向に引き出せるようにしたシートロールを収納するためのものであって、前記便座手前側に前記便座シートを引き出すためのシート引出スリットを備えるシートロール収納箱と、前記便器の奥側一方端部、かつ、前記便座シート連結部が通過する位置に配置される上側切断器と、前記便器の奥側一方端部、かつ、前記便座シート連結部が通過する位置、かつ、前記上側切断器の下方に配置される下側切断器と、を有し、前記下側切断器の位置まで上下方向に移動可能な前記上側切断器が、箱体の中に下向きに収納される刃状体を備え、前記刃状体が、前記箱体内を上下に移動可能、かつ、前記箱体下部に備えられる刃状体スリットから突出可能であり、前記下側切断器が、前記刃状体スリットから突出する前記刃状体を収容可能な溝を備え、前記溝上に配置される前記便座シート連結部を、前記刃状体スリットから突出し、前記溝に入り込む前記刃状体によって上から押さえ付けて切断することを特徴とする。
【発明の効果】
【００１０】
開示する便座シート装置は、使用者が便座に腰掛ける前に便座シートが滑り落ちるリスクを低減させると共に、適用可能な便座の候補を拡大させる。
【図面の簡単な説明】
【００１１】
【図１】従来技術である洋風便器の一例を示す図である。
【図２】本実施の形態に係る便座シート及び便座シート連結部を説明する平面図である。
【図３】本実施の形態に係るシートロール及びシートロール収納箱を説明する側方断面図である。
【図４】本実施の形態に係る上側切断器及びシートロール収納箱を説明する正面図である。
【図５】本実施の形態に係る上側切断器及びシートロール収納箱を説明する平面図である。
【図６】本実施の形態に係る上側切断器及び下側切断器を説明する側方断面図である。
【図７】本実施の形態に係る上側切断器を説明する前方断面図である。
【図８】本実施の形態に係る上側切断器及び下側切断器を説明する側面図である。
【発明を実施するための形態】
【００１２】
図面を参照しながら、本発明を実施するための形態について説明する。
（本実施の形態に係る便座シート装置の構造）
【００１３】
図１乃至８を用いて、本実施の形態に係る便座シート装置（以下、単に「本装置」という。）１の構造について説明する。図１は、本装置１を設置・適用する従来ある洋風便器２８の一例を示す図である。図２乃至８は、本装置１の構成部材を説明するための図である。
【００１４】
図１で示すように、本装置１は、洋風便器２８の使用者３６が着座する便座３４上に敷く便座シート２を供給する装置である。便座シート２は、他人が使用する洋風便器２８の不衛生感を取り除くために、洋風便器２８の便座３４上に敷いて使用するものであり、使用後の便座シート２は便器２８内に流すことができる。本装置１は、洋風便器２８の奥側３０端部付近、かつ、洋風便器２８の使用者３６が着座する便座３４と同程度の高さに設置される。
図２乃至８で示すように、本装置１は、便座シート２、便座シート連結部６、シートロール収納箱１０、上側切断器１４、下側切断器２４を有する。
【００１５】
図２で示すように、便座シート２は、便座３４の形状に合わせるために中央付近に穴部４を備えている。便座シート２は、例えば、水溶性の紙のような薄い部材で形成され、便器２８で流すことができる形態としても良い。図３で示すように、便座シート２は、複数の便座シート２をロール状にし、便座手前方向３２に引き出せるようにシートロール８として、後述のシートロール収納箱１０内に収納される。
【００１６】
図２で示すように、便座シート連結部６は、隣接する便座シート２を、便座シート２の一方側部どうし連結する。便座シート連結部６は、後述するように切断器１４、２４によって切断する（切り離す）ため、便座シート連結部６にはミシン目等の切れ目は無い。こうして、便座シート２の間隔を適当な長さに設定することによって、様々な形状の便座３４（便器２８）に対応することができる。
【００１７】
図３で示すように、シートロール収納箱１０は、シートロール８を収納する箱体である。シートロール収納箱１０は、便器２８の奥側３０端部付近、かつ、便座３４と同程度の高さに配置される。図３及び４で示すように、シートロール収納箱１０は、便座手前側３２にシートロール８（便座シート２）を引き出すためのシート引出スリット１２を備えている。シートロール収納箱１０内に収納されるシートロール８（便座シート２）は、シート引出スリット１２を通して、便座手前側３２に引き出すことが可能である。また、シートロール収納箱１０は、収納されるシートロール８（便座シート２）を使い切った場合、内部に収容されるシートロール８（便座シート２）と共に交換可能である。シートロール８（便座シート２）を使い切った場合の交換作業が容易となる。
【００１８】
図４乃至６で示すように、上側切断器１４は、便器奥側３０の一方端部、かつ、便座シート連結部６が通過する位置、かつ、下側切断器２４の上方に配置される。上側切断器１４は、下側切断器２４の位置まで、上下方向に移動可能である。
【００１９】
図６及び７で示すように、上側切断器１４は、箱体１６内に下向きに収納される刃状体１８を備える。刃状体１８は、箱体１６内を上下に移動可能である。箱体１６は、下部に刃状体スリット２０を備え、刃状体１８は、刃状体スリット２０から突出可能な形態である。刃状体スリット２０の奥側３０・手前側３２には、切断時に便座シート連結部６が滑らないようにする滑り止め機構（例えば、ゴム、シリコンで形成される）を備えていることが好適である。上側切断器１４は、便座シート連結部６を押さえ付け、刃状体スリット２０から突出した刃状体１８によって便座シート連結部６を切断し、隣接する便座シート２どうしを分離する。こうして、便座シート２の間隔を適当な長さに設定することによって、様々な形状の便座３４（便器２８）に対応することができる。
【００２０】
図６で示すように、下側切断器２４は、便器奥側３０の一方端部、かつ、便座シート連結部６が通過する位置、かつ、上側切断器１４の下方に配置される。下側切断器２４は、刃状体スリット２０から突出する刃状体１８の刃先を収容可能な溝（窪み）２６を備える。
【００２１】
図６で示すように、上側切断器１４及び下側切断器２４は、溝２６の上に配置される便座シート連結部６を上から押さえ付け、刃状体スリット２０から突出し、溝２６に入り込む刃状体１８によって切断する。こうして、便座シート２の間隔を適当な長さに設定することによって、様々な形状の便座３４（便器２８）に対応することができる。
【００２２】
なお、図８で示すように、上側切断器１４は、所定点を支点として回転することによって、下側切断器２４の位置まで上下方向に移動可能となる形態であっても良い。
【００２３】
上記のような構成に基づいて、本装置１は、使用者３６が便座３４に腰掛ける前に便座シート２が滑り落ちるリスクを低減させると共に、適用可能な便座３４の候補を拡大させる。
（本実施の形態に係る便座シート装置の使用方法）
【００２４】
図１乃至８を用いて、本装置１の使用方法について説明する。使用者３６は、便座３４の形状に合わせ、シート収納箱１０のシート引出スリット１２から便座シート２（シートロール８）を使い勝手の良いところまで引き出す。
【００２５】
使用者３６は、切断器１４、２４によって便座シート連結部６を切断し、分離された１枚の便座シート２を便座３４上に敷いて、便座３４に腰掛け、用を足す形態としても良い。また、使用者３６は、切断器１４、２４によって便座シート連結部６を切断せず、連なったままの便座シート２の１枚を便座３４上に敷いて、便座３４に腰掛け、用を足す形態としても良い。その場合、使用者３６は、用を足した後、切断器１４、２４によって便座シート連結部６を切断し、使用した１枚の便座シート２を分離する。
【００２６】
使用者３６は、便座シート２が水溶性で便器２８内に流しても良い場合、使用済みの便座シート２を便器２８内に投入し、流す。使用者３６は、便座シート２が便器２８内に流せない場合、使用済みの便座シート２をゴミ箱等に捨てる。
【００２７】
上記のような本装置１の使用方法に基づいて、使用者３６は、便座３４に腰掛ける前に便座シート２が滑り落ちるリスクを低減させると共に、適用可能な便座３４の候補を拡大させることができる。
【００２８】
以上、本発明の実施の形態について詳述したが、本発明は係る特定の実施の形態に限定されるものではなく、特許請求の範囲に記載された本発明の要旨の範囲において、種々の変形・変更が可能である。
【符号の説明】
【００２９】
１    便座シート装置
２    便座シート
４    穴部
６    便座シート連結部
８    シートロール
１０  シートロール収納箱
１２  シート引出スリット
１４  上側切断器
１６  箱体
１８  刃状体
２０  刃状体スリット
２２  滑り止め機構
２４  下側切断器
２６  溝
２８  洋風便器
３０  便器の奥側
３２  便器の手前側
３４  便座
３６  使用者
【図１】
2019201943.tif 000003
【図２】
2019201943.tif 000004
【図３】
2019201943.tif 000005
【図４】
2019201943.tif 000006
【図５】
2019201943.tif 000007
【図６】
2019201943.tif 000008
【図７】
2019201943.tif 000009
【図８】
2019201943.tif 000010